(57)【要約】【課題】多数枚のカードを収納することができ、さらに収納したカードの種類を容易に識別することができ、しかもカードの出し入れが非常に容易に行えるカードケースを提供する。【解決手段】前面部１と背面部３とが、見開き自在として二つ折りにできるものとし、これら前面部１と背面部３との間に、ジグザグ状に折り畳み、その折り畳んだそれぞれの表側および／または裏側に、上方を開口したカード収納部１４を設けた帯状体１３を配置し、この帯状体１３の一端を前面部１の内側に固着し、前記帯状体１３の他端を背面部３の内側に固着したものとしている。【選択図】    図４
2010142400.tif 000002
【特許請求の範囲】
【請求項１】
前面部（１）と背面部（３）とが、見開き自在として二つ折りにできるものとし、これら前面部（１）と背面部（３）との間に、ジグザグ状に折り畳み、その折り畳んだそれぞれの表側および／または裏側に、上方を開口したカード収納部（１４）を設けた帯状体（１３）を配置し、この帯状体（１３）の一端を前面部１の内側に固着し、前記帯状体（１３）の他端を背面部（３）の内側に固着したことを特徴とするカードケース。
【請求項２】
前記帯状体（１３）を、収納するカード（Ｃ）の短辺幅より少し大きめになると共に、これらのカード（Ｃ）の長辺幅と略同一か、少し小さめになるようにして、ジグザグ状に折り畳んだものとしたことを特徴とする請求項１記載のカードケース。
【請求項３】
前記カード収納部（１４）の上方の開口（１４ａ）を、帯状体（１３）の上端よりも低い位置に形成し、カード収納部（１４）にカード（Ｃ）を収納したときに、そのカード（Ｃ）の上部が帯状体（１３）の上端から食み出すように、そのカード収納部（１４）の深さを設定したことを特徴とする請求項１または２記載のカードケース。
【請求項４】
前記帯状体（１３）を、前面部（１）と背面部（３）の間に複数列、並べて設けたものとしたことを特徴とする請求項１または２記載のカードケース。
【発明の詳細な説明】
【技術分野】
【０００１】
この発明は、キャッシュカード、クレジットカード、プリペイドカード、その他各種のカードを収納するためのカードケースに関するものである。
【背景技術】
【０００２】
従来、この種のカードケースとしては、例えば図８〜１１に示したように、上部に出入れ口２１を設けたケース本体２２の内部に、蛇腹状生地２３の表面に、前方から後方にかけて、幅方向に適宜間隔を開けて上部開口とした複数の収納部２４の下部２４ａをそれぞれ止着したカードホルダー２５を備え付けたものが存在する（特許文献１）。
【０００３】
前記カードホルダー２５は、蛇腹状生地２３の表面に、表側に折り曲げた折り目２３ａと裏側に折り曲げた折り目２３ｂとが交互に連続して形成されており、その表側に折り曲げた折り目２３ａに沿って、前記上部開口とした複数の収納部２４の下部２４ａを止着している。
【０００４】
前記収納部２４は、前面板２６とこの前面板２６より背の高い後面板２７を重ね合わせ、その両側縁部および下縁部を閉じたものとし、前面板２６の上縁部を開口したものとして上部開口としている。
【０００５】
さらに、前記収納部２４は、最も前方に位置する収納部２４の下端部に、蛇腹状生地２３の一部を延設して取付け部２８とすると共に、最も後方に位置する収納部２４上端部に、摘み部２９を設けたものとしている。
【０００６】
そして、前記ケース本体２２の前面部２２ａの内側下部に、前記収納部２４の下端部に設けた取付け部２８を止着して、ケース本体２２内に収納したものとしている。
【特許文献１】特開平１０ー３２４０８６号公報（図２、３、４）
【発明の開示】
【発明が解決しようとする課題】
【０００７】
上記従来のカードケースは、図８、９に示したように、蛇腹状生地２３を伸ばした状態にすれば、この蛇腹状生地２３に下部２４ａを止着された複数の収納部２４の上部開口が、少しずつずれたものなって露出する。また、このカードケースは、図１０、１１に示したように、蛇腹状生地２３を縮めた状態にすれば、複数の収納部２４が重なった状態となり、コンパクトな大きさとなる。
【０００８】
したがって、従来のカードケースは、ケース本体２２を手に持って最も後方に位置する収納部２４上端部に設けた摘み部２９を摘んで引き上げれば、カードＣの出し入れが容易なものとなり、蛇腹状生地２３を縮めた状態にすれば、鞄に収納したり、ポケット等に入れて携帯し易いものとなるとしている。
【０００９】
しかしながら、従来のカードケースでは、上記したように複数の収納部２４の上部開口が、少しずつずれたものなって露出するとしているため、その収納部２４に複数のカードＣを収納した場合にも、カードＣどうしは少しずつずれたものとしかならないため、いくぶんカードＣの出し入れが容易になるとはいっても、依然としてカードＣの出し入れが困難であるという問題点を有していた。
【００１０】
さらに、従来のカードケースでは、収納部２４に複数のカードＣを収納した場合にも、カードＣどうしは少しずつずれたものとしかならないため、収納部２４からの露出部分は小さく、カードＣの種類が容易に識別することができないという問題点を有していた。
【００１１】
そこで、この発明は、上記従来の問題点を解決することをその課題としており、多数枚のカードを収納することができ、さらに収納したカードの種類を容易に識別することができ、しかもカードの出し入れが非常に容易に行えるカードケースを提供することを目的としてなされたものである。
【課題を解決するための手段】
【００１２】
そのため、この発明のカードケースは、前面部１と背面部３とが、見開き自在として二つ折りにできるものとし、これら前面部１と背面部３との間に、ジグザグ状に折り畳み、その折り畳んだそれぞれの表側および／または裏側に、上方を開口したカード収納部１４を設けた帯状体１３を配置し、この帯状体１３の一端を前面部１の内側に固着し、前記帯状体１３の他端を背面部３の内側に固着したものとしている。
【００１３】
さらに、この発明のカードケースは、帯状体１３を、収納するカードＣの短辺幅より少し大きめになると共に、これらのカードＣの長辺幅と略同一か、少し小さめになるようにして、ジグザグ状に折り畳んだものとしている。
【００１４】
また、この発明のカードケースは、前記カード収納部１４の上方の開口１４ａを、帯状体１３の上端よりも低い位置に形成し、カード収納部１４にカードＣを収納したときに、そのカードＣの上部が帯状体１３の上端から食み出すように、そのカード収納部１４の深さを設定したものとしている。
【００１５】
さらに、この発明のカードケースは、前記帯状体１３を、前面部１と背面部３の間に複数列、並べて設けたものとしている。
【発明の効果】
【００１６】
この発明のカードケースは、以上に述べたように構成されており、多数枚のカードを収納することができ、さらに収納したカードの種類を容易に識別することができ、しかもカードの出し入れが非常に容易に行えるものとなった。
【発明を実施するための最良の形態】
【００１７】
以下、この発明のカードケースを実施するための最良の形態を、図面に基づいて詳細に説明する。
【００１８】
この発明のカードケースは、図１〜７に示したように、財布兼用のカードケースとして実施することができる。
【００１９】
図に示したカードケースは、前面部１、下部折り曲げ部２、背面部３、上部折り曲げ部４およびカバー部５を連設してなるものとしており、前面部１と背面部３とが、下部折り曲げ部２を介して、見開き自在として二つ折りにできるものとしている。前記カバー部５の内面には、ホック６の雄体６ａを取り付け、前面部１の外面には、ホック６の雌体６ｂを取り付け、カバー部５を前面部１に被せたときに、これらホック６の雄体６ａと雌体６ｂとを係合させて、カバー部５が開かないようにしている。なお、前記カードケースは、前面部１と背面部３とが、下部折り曲げ部２を介して、見開き自在として二つ折りにできるものであれば、上部折り曲げ部４やカバー部５を設けていないものとしてもよい。
【００２０】
前面部１の内側には、仕切り壁７との間に、小銭や小物などを入れるための収納ポケット８を設けている。この収納ポケット８は、上方の開口を常に開放した二つのポケット部８ａと、これらポケット部８ａの間に設けられ、上方の開口をファスナーで開閉自在にしたポケット部８ｂからなるものとしている。なお、前記前面部１の内側には、収納ポケット８を設けていないものとしてもよい。
【００２１】
カバー部５の内側には、仕切り壁９との間に、薄手の小物などを入れるための内ポケット１０を設けており、その仕切り壁９の外側には、所定間隔に複数の出し入れ口を有した予備のカード収納部１１を設けている。さらに、必要に応じて、前記カバー部２から上部折り曲げ部４のそれぞれの内側にかけて、側方に出入れ口を有した札入れ１２を設けている。なお、前記カバー部２の内側には、内ポケット１０、予備のカード収納部１１、札入れ１２の何れかまたはすべてを設けていないものとしてもよい。
【００２２】
そして、前記カバー部５を前面部１に被せたときに、この前面部１、下部折り曲げ部２、背面部３および上部折り曲げ部４に囲まれた中空部Ｓにおいて、前面部１と背面部３との間に、ジグザグ状に折り畳み、その折り畳んだそれぞれの表側および裏側に、上方を開口したカード収納部１４を設けた帯状体１３を配置している。
【００２３】
帯状体１３は、図示したものでは、収納するキャッシュカード、クレジットカード、プリペイドカード、その他各種のカードＣの短辺幅より少し大きめになると共に、これらのカードＣの長辺幅と略同一か、少し小さめになるようにして、ジグザグ状に折り畳んだものとしている。この場合のジグザグ状に折り畳んだ帯状体１３は、具体的には、各短辺を６. ５〜７. ５ｃｍとし、各長辺を８. ０〜９. ０ｃｍとするのが好ましい。なお、前記帯状体１３は、図示していないが、各種のカードＣの長辺幅より少し大きめになると共に、短辺幅と略同一か、少し小さめになるようにして、ジグザグ状に折り畳んだものとしてもよい。この場合のジグザグ状に折り畳んだ帯状体１３は、具体的には、各長辺を９. ５〜１０. ５ｃｍとし、各長辺を４. ５〜５. ５ｃｍとするのが好ましい。
【００２４】
カード収納部１４は、帯状体１３を折り畳んだそれぞれの表側および裏側にそれぞれ設けたものとしているが、表側だけに設けたものとしても、裏側だけに設けたものとしてもよい。前記カード収納部１４を帯状体１３に設けるには、帯状体１３の表面に表側帯状体１３ａを重ね合わせ、帯状体１３の裏面に裏側帯状体１３ｂを重ね合わせ、それらの両側縁部および下縁部を閉じたものとし、上方を開口１４ａしたものとしている。さらに、前記カード収納部１４の上方の開口１４ａは、帯状体１３の上端よりも低い位置に形成しており、カード収納部１４にカードＣを収納したときに、そのカードＣの上部が帯状体１３の上端から食み出すように、そのカード収納部１４の深さを設定したものとしている。具体的には、前記カード収納部１４の上方の開口１４ａは、帯状体１３の上端よりも１. 0 〜２. 0 ｃｍ低い位置に形成するのが好ましく、そのカードＣの上部が帯状体１３の上端から０. ５〜１. ０ｃｍ食み出すようにするのが好ましい。
【００２５】
そして、前記帯状体１３は、カード収納部１４の開口１４ａを上方に向くようにして、その一端を前面部１の内側に固着し、他端を背面部３の内側に固着している。なお、図示したものでは、前面部１の内側には、収納ポケット８を設けたものとしているため、この収納ポケット８の仕切り壁７に前記帯状体１３の一端を固着したものとしている。また、図示したものでは、背面部３の内側にも、仕切り壁１５との間に予備ポケット１６を設けたものとしているので、この予備ポケット１５の仕切り壁１５に前記帯状体１３の他端を固着したものとしている。
【００２６】
さらに、前記帯状体１３は、図示したものでは、中空部Ｓにおいて前面部１と背面部３の間に二列、並べて設けたものとしているが、一列のみ設けたものとしても、二列を超える複数列、並べて設けたものとしてもよい。
【００２７】
以上のように構成したこの発明のカードケースは、前面部１と背面部３が下部折り曲げ部２を介して二つ折りにした状態から、前面部１と背面部３を見開き状態に開くと、この開き具合に応じて、帯状体１３のジグザグ状に折り畳んだそれぞれの表側の間、およびそれぞれの裏側の間が広がる。
【００２８】
前面部１と背面部３とが成す角度を９０度程度になるまで開くと、図４に示したように、カード収納部１４に収納したカードＣの上部がよく見える状態まで、前記表側の間および裏側の間が広がるので、収納したカードＣの種類を容易に識別できるものとなる。また、そのカードＣの上部が帯状体１３の上端から食み出しているので、カード収納部１４からカードＣを容易に引き出せるものとなる。さらに、この状態においては、その引き出したカードＣもカード収納部１４に容易に差し込める。
【００２９】
さらに、前面部１と背面部３とが成す角度を１８０度近くになるまで開くと、図６、７に示したようになり、カード収納部１４に収納したカードＣの上部が非常によく見える状態まで、前記表側の間および裏面の間が広がるが、通常の使用状態ではここまで開かなくても、収納したカードの種類を容易に識別することができ、カードの出し入れも非常に容易に行える。なお、カード収納部１４に収納したカードＣのすべてを引き出す場合や、カード収納部１４に多数枚のカードＣを一度に収納する場合などには、このように前面部１と背面部３とが成す角度を１８０度近くになるまで開いた状態で使用すれば、よりカードＣの出し入れをスムーズに行える。
【００３０】
よって、この発明のカードケースは、多数枚のカードを収納することができ、さらに収納したカードの種類を容易に識別することができ、しかもカードの出し入れが非常に容易に行えるものとなる。
【図面の簡単な説明】
【００３１】
【図１】この発明のカードケースの斜視図である。
【図２】この発明のカードケースの側面図である。
【図３】この発明のカードケースのカバー部を開いた状態を示す斜視図である。
【図４】この発明のカードケースのカバー部を開いた状態で、前面部と背面部とが成す角度を９０度程度になるまで開いた状態を示す斜視図である。
【図５】図４に示した開いた状態のカードケースのカード収納部にカードを収納した状態を示す斜視図である。
【図６】この発明のカードケースのカバー部を開いた状態で、前面部と背面部とが成す角度を１８０度近くになるまで開いた状態を示す平面図である。
【図７】図６に示した開いた状態のカードケースのカード収納部の一部断面図である。
【図８】従来のカードケースの内部に備え付けたカードホルダーを伸ばした状態を示す斜視図である。
【図９】図８に示した伸ばした状態のカードホルダーのみを示す斜視図である。
【図１０】従来のカードケースの内部に備え付けたカードホルダーを縮めた状態を示す斜視図である。
【図１１】図１０に示した縮めた状態のカードホルダーのみを示す斜視図である。
【符号の説明】
【００３２】
１  前面部
３  背面部
１３  帯状体
１４  カード収納部
１４ａ  開口
Ｃ  カード
【図１】
2010142400.tif 000003
【図２】
2010142400.tif 000004
【図３】
2010142400.tif 000005
【図４】
2010142400.tif 000006
【図５】
2010142400.tif 000007
【図６】
2010142400.tif 000008
【図７】
2010142400.tif 000009
【図８】
2010142400.tif 000010
【図９】
2010142400.tif 000011
【図１０】
2010142400.tif 000012
【図１１】
2010142400.tif 000013